(57)【要約】【課題】各拠点の参加者が共有を所望する会議資料について、どの拠点の参加者がどういった順序で会議資料の共有を所望しているかを容易に把握する。【解決手段】ネットワークＮＷを介して接続されたテレビ会議端末１１０は、各拠点における参加者に関する参加者情報を取得し、会議に関する資料情報を各拠点のテレビ会議端末１１０から取得する。参加者情報と、資料情報とをディスプレイ２１１に表示する。また、資料情報についてディスプレイ２１１に対する資料情報の出力順を決定し、決定された出力順の情報に基づいて、参加者情報の表示態様を変更する。【選択図】図１
2012004756.tif 000002
【特許請求の範囲】
【請求項１】
ネットワークを介して接続された他拠点の端末装置との間で送受信される情報によって会議をおこなう端末装置であって、
各拠点における参加者に関する参加者情報を取得する参加者情報取得手段と、
前記会議に関する資料情報を前記各拠点の端末装置から取得する資料情報取得手段と、
前記参加者情報取得手段によって取得される前記参加者情報と、前記資料情報取得手段によって取得される前記資料情報とを表示部に表示する表示制御手段とを備え、
前記表示制御手段は、
前記資料情報取得手段によって取得される前記資料情報について前記表示部に対する前記資料情報の出力順を決定し、決定された前記出力順の情報に基づいて、前記参加者情報の表示態様を変更することを特徴とする端末装置。
【請求項２】
前記表示制御手段は、前記表示部に表示中の前記資料情報以降に表示する前記資料情報の出力順に基づいて、前記表示部に表示する前記参加者情報の配置を変更することを特徴とする請求項１に記載の端末装置。
【請求項３】
前記表示制御手段は、前記参加者情報を表示する表示領域とは異なる領域に、前記資料情報取得手段によって取得される前記資料情報の取得元の前記参加者情報を表示することを特徴とする請求項１または２に記載の端末装置。
【請求項４】
ネットワークを介して接続された複数拠点の端末装置間で送受信される情報によって会議をおこなう会議システムであって、
前記端末装置は、
自拠点の参加者に関する自拠点情報または他拠点の参加者に関する他拠点情報を取得する参加者情報取得手段と、
前記会議に関する資料情報を、前記自拠点または前記他拠点から取得する資料情報取得手段と、
前記参加者情報取得手段によって取得される前記参加者情報と、前記資料情報取得手段によって取得される前記資料情報とを表示部に表示する表示制御手段とを備え、
前記表示制御手段は、
前記資料情報取得手段によって取得される前記資料情報について前記表示部に対する前記資料情報の出力順を決定し、決定された前記出力順の情報に基づいて、前記参加者情報の表示態様を変更することを特徴とする会議システム。
【請求項５】
ネットワークを介して接続された他拠点の端末装置との間で送受信される情報によって会議をおこなわせる処理プログラムであって、
各拠点における参加者に関する参加者情報を取得させる参加者情報取得工程と、
前記会議に関する資料情報を前記各拠点の端末装置から取得させる資料情報取得工程と、
前記参加者情報取得手段によって取得させた前記参加者情報と、前記資料情報取得手段によって取得させた前記資料情報とを表示部に表示させる表示制御工程とを含み、
前記表示制御工程は、
前記資料情報取得工程によって取得させる前記資料情報について前記表示部に対する前記資料情報の出力順を決定させ、決定させた前記出力順の情報に基づいて、前記参加者情報の表示態様を変更させる工程をコンピュータに実行させることを特徴とする処理プログラム。
【発明の詳細な説明】
【技術分野】
【０００１】
この発明は、ネットワークを介して接続された複数拠点の端末装置によって送受信される映像情報や音声情報を各拠点の端末装置で再生することで、遠隔の拠点間で会議をおこなう端末装置、会議システムおよび処理プログラムに関する。
【背景技術】
【０００２】
テレビ会議システムは、複数の拠点間で会議をおこなう際、各拠点間で相互に映像情報や音声情報などを送受信する。各拠点の端末装置は、送受信された映像情報や音声情報を再生する。端末装置は、映像情報などによる会議資料を送受信することがある。会議をおこなっている各拠点の端末装置は、送受信された会議資料を表示して共有する。
【０００３】
近年では、テレビ会議の参加者は、共有を所望する会議資料がある場合、自拠点の端末装置のモニタ上に表示される資料表示エリアに、会議資料を示すアイコンの移動操作をおこなう。自拠点の端末装置は、移動操作がされた会議資料を資料表示エリアに展開させるとともに、他拠点の端末装置に会議資料を送信する。他拠点の端末装置は、受信した会議資料を資料表示エリアに展開させる。各参加者は、それぞれの拠点の端末装置によって展開された会議資料の共有をおこなう提案がされている（特許文献１）。
【先行技術文献】
【特許文献】
【０００４】
【特許文献１】特開２００３−３２３３８７号公報
【発明の概要】
【発明が解決しようとする課題】
【０００５】
しかしながら、上述した特許文献１に記載の技術では、各端末装置で共有される会議資料が、複数の拠点の端末装置のうち、どの拠点の参加者が表示させた会議資料であるのかわからないという問題が一例として挙げられる。くわえて、複数の拠点の参加者がそれぞれ共有を所望する会議資料がある場合については考慮されておらず、どの拠点の会議資料がいつ共有できるのか不明であるという問題が一例として挙げられる。
【０００６】
この発明は、上述した問題を解決するため、各拠点の参加者が共有を所望する会議資料について、どの拠点の参加者がどういった順序で会議資料の共有を所望しているかを容易に把握することのできる端末装置、会議システムおよび処理プログラムを提供することを目的とする。
【課題を解決するための手段】
【０００７】
上述した課題を解決し、目的を達成するため、請求項１の発明の端末装置は、ネットワークを介して接続された他拠点の端末装置との間で送受信される情報によって会議をおこなう端末装置であって、各拠点における参加者に関する参加者情報を取得する参加者情報取得手段と、前記会議に関する資料情報を前記各拠点の端末装置から取得する資料情報取得手段と、前記参加者情報取得手段によって取得される前記参加者情報と、前記資料情報取得手段によって取得される前記資料情報とを表示部に表示する表示制御手段とを備え、前記表示制御手段は、前記資料情報取得手段によって取得される前記資料情報について前記表示部に対する前記資料情報の出力順を決定し、決定された前記出力順の情報に基づいて、前記参加者情報の表示態様を変更することを特徴とする。
【０００８】
請求項２の発明の端末装置は、上記発明において、前記表示制御手段は、前記表示部に表示中の前記資料情報以降に表示する前記資料情報の出力順に基づいて、前記表示部に表示する前記参加者情報の配置を変更することを特徴とする。
【０００９】
請求項３の発明の端末装置は、上記発明において、前記表示制御手段は、前記参加者情報を表示する表示領域とは異なる領域に、前記資料情報取得手段によって取得される前記資料情報の取得元の前記参加者情報を表示することを特徴とする。
【００１０】
請求項４の発明の会議システムは、ネットワークを介して接続された複数拠点の端末装置間で送受信される情報によって会議をおこなう会議システムであって、前記端末装置は、自拠点の参加者に関する自拠点情報または他拠点の参加者に関する他拠点情報を取得する参加者情報取得手段と、前記会議に関する資料情報を、前記自拠点または前記他拠点から取得する資料情報取得手段と、前記参加者情報取得手段によって取得される前記参加者情報と、前記資料情報取得手段によって取得される前記資料情報とを表示部に表示する表示制御手段とを備え、前記表示制御手段は、前記資料情報取得手段によって取得される前記資料情報について前記表示部に対する前記資料情報の出力順を決定し、決定された前記出力順の情報に基づいて、前記参加者情報の表示態様を変更することを特徴とする。
【００１１】
請求項５の発明の処理プログラムは、ネットワークを介して接続された他拠点の端末装置との間で送受信される情報によって会議をおこなわせる処理プログラムであって、各拠点における参加者に関する参加者情報を取得させる参加者情報取得工程と、前記会議に関する資料情報を前記各拠点の端末装置から取得させる資料情報取得工程と、前記参加者情報取得手段によって取得させた前記参加者情報と、前記資料情報取得手段によって取得させた前記資料情報とを表示部に表示させる表示制御工程とを含み、前記表示制御工程は、前記資料情報取得工程によって取得させる前記資料情報について前記表示部に対する前記資料情報の出力順を決定させ、決定させた前記出力順の情報に基づいて、前記参加者情報の表示態様を変更させる工程をコンピュータに実行させることを特徴とする。
【発明の効果】
【００１２】
請求項１に記載の発明によれば、資料情報の出力順に応じて参加者情報の表示態様を変更することができるため、各拠点の参加者は、表示部に表示された参加者情報によって、資料情報の取得元となった端末装置と、表示対象となる資料情報の出力順とを容易に把握することができ、円滑な会議の進行を図ることができる。
【００１３】
請求項２に記載の発明によれば、資料情報の出力順に応じて表示部に表示する参加者情報の配置を変更することができるため、各拠点の参加者は、資料情報の取得元となった端末装置と、資料情報の出力順とを簡易かつ明確に把握することができる。
【００１４】
請求項３に記載の発明によれば、参加者情報を表示する表示領域とは異なる領域に資料情報の取得元となった参加者情報を表示することができるため、各拠点の参加者は、資料情報の出力順に応じた参加者情報の把握の明確化を図ることができる
【００１５】
請求項４に記載の発明によれば、資料情報の出力順に応じて参加者情報の表示態様を変更することができるため、各拠点の参加者は、表示部に表示された参加者情報によって、資料情報の取得元となった端末装置と、資料情報の出力順とを容易に把握することができ、円滑な会議の進行を図ることができる。
【００１６】
請求項５に記載の発明によれば、資料情報の出力順に応じて参加者情報の表示態様を変更させるプログラムをコンピュータに実行させることができるため、各拠点の参加者は、表示部に表示された参加者情報によって、資料情報の取得元となった端末装置と、資料情報の出力順とを容易に把握することができ、円滑な会議の進行を図ることができる。
【００１７】
以上説明したように、本発明にかかる端末装置、会議システムおよび処理プログラムによれば、各拠点の参加者が共有を所望する会議資料について、どの拠点の参加者がどういった順序で会議資料の共有を所望しているかを容易に把握することができるという効果を奏する。
【図面の簡単な説明】
【００１８】
【図１】本発明の実施形態のテレビ会議システムの一例を示す説明図である。
【図２】本発明の実施形態のテレビ会議端末の機能的構成の一例を示す説明図である。
【図３】本発明の実施形態の会議画面の表示の一例を示す説明図である。
【図４】本発明の実施形態の会議画面の表示遷移の一例を示す説明図である。
【図５】本発明の実施形態のテレビ端末の処理の内容を示すフローチャートである。
【図６】本発明の変形例の会議画面の表示の一例を示す説明図である。
【図７】本発明の変形例の会議画面の表示の別の一例を示す説明図である。
【図８】本発明の変形例の会議画面の表示遷移の一例を示す説明図である。
【発明を実施するための形態】
【００１９】
以下に添付図面を参照して、この発明にかかる端末装置、会議システムおよび処理プログラムの好適な実施の形態を詳細に説明する。
【００２０】
（実施形態）
（全体構成）
図１を用いて、本発明にかかる端末装置を、複数拠点でテレビ会議をおこなうテレビ会議システムに用いるテレビ会議端末に適用した場合について説明する。図１は、本発明の実施形態のテレビ会議システムの一例を示す説明図である。図１において、テレビ会議システム１００は、各拠点Ａ，Ｂ，Ｃに設置されたテレビ会議端末１１０ａ，１１０ｂ，１１０ｃがネットワークＮＷを介して接続されて構成されている。
【００２１】
テレビ会議システム１００は、地理的に離れた各拠点Ａ，Ｂ，Ｃに設置されたテレビ会議端末１１０ａ，１１０ｂ，１１０ｃがインターネットなどのネットワークＮＷを介して接続されたり、建物内の離れた各拠点Ａ，Ｂ，Ｃに設置されたテレビ会議端末１１０ａ，１１０ｂ，１１０ｃがＬＡＮ（ローカルエリアネットワーク）などのネットワークＮＷを介して接続されたりしている。ネットワークＮＷは、公衆電話回線網などであってもよい。以降の説明では、各拠点の区別をしない場合、符号の末尾の記号である「ａ」，「ｂ」，「ｃ」を省略して説明する。
【００２２】
テレビ会議システム１００は、参加者情報として、各拠点Ａ，Ｂ，Ｃでテレビ会議に参加する参加者Ａ，Ｂ，Ｃの映像および音声をテレビ会議端末１１０によって送受信させる。具体的には、テレビ会議端末１１０は、カメラ２１２やマイク２１４によって自拠点における参加者の映像および音声を取得する。テレビ会議端末１１０は、取得した自拠点の参加者の映像および音声をパケット化して、ネットワークＮＷを介して他拠点のテレビ会議端末１１０に送信する。
【００２３】
テレビ会議端末１１０は、他拠点のテレビ会議端末１１０から送信される参加者の映像および音声のパケットをネットワークＮＷを介して受信する。テレビ会議端末１１０は、受信したパケットから他拠点の参加者の映像および音声をディスプレイ２１１やスピーカ２１３によって再生する。
【００２４】
すなわち、テレビ会議端末１１０は、自拠点と他拠点で相互に送受信される参加者の映像および音声を再生する。各拠点の参加者は、自拠点のテレビ会議端末１１０によって再生される映像および音声を視聴することで、遠隔に位置する参加者同士でテレビ会議をおこなう。
【００２５】
各テレビ会議端末１１０は、各拠点の参加者の映像からなる参加者画像にくわえ、テレビ会議に用いる資料情報である資料画像を会議画面としてディスプレイ２１１に表示する。テレビ会議端末１１０は、テレビ会議に用いる資料情報として資料画像を送受信して、送受信した資料画像を会議画面に表示させることで、各拠点の参加者同士で資料情報の共有を図る。
【００２６】
具体的には、資料画像の送信元のテレビ会議端末１１０は、パーソナルコンピュータ（ＰＣ）や外部記憶媒体などが接続されている。送信元のテレビ会議端末１１０は、参加者の操作部２０６の操作にしたがって、ＰＣや外部記憶媒体などからテレビ会議用の文書や画像などを資料画像として読み出す。
【００２７】
送信元のテレビ会議端末１１０は、読み出された資料画像をディスプレイ２１１に表示するとともに、ネットワークＮＷを介して送信先のテレビ会議端末１１０に送信する。送信先のテレビ会議端末１１０は、受信した資料画像をディスプレイ２１１によって表示する。
【００２８】
テレビ会議端末１１０は、マウスなどの操作部２０６を介して、参加者からポインタの操作入力を受け付ける。具体的には、テレビ会議端末１１０は、操作部２０６による操作入力に基づいて、ディスプレイ２１１に表示された会議画面上のポインタの表示制御をおこなう。参加者は、ポインタを操作することで会議画面上の資料画像に対する操作をおこなうことができる。
【００２９】
（機能的構成）
図２を用いて、本発明の実施形態のテレビ会議端末１１０の機能的構成について説明する。図２は、本発明の実施形態のテレビ会議端末の機能的構成の一例を示す説明図である。
【００３０】
図２において、テレビ会議端末１１０は、ＣＰＵ（セントラルプロセッシングユニット）２０１と、ＲＡＭ（ランダムアクセスメモリ）２０２と、ＲＯＭ（リードオンリーメモリ）２０３と、ディスプレイ２１１やカメラ２１２に対して各種映像の入出力を制御する映像Ｉ／Ｆ２０４と、スピーカ２１３やマイク２１４に対して各種音声の入出力を制御する音声Ｉ／Ｆ２０５と、各種情報の入力を受け付ける操作部２０６と、外部機器との通信を制御する通信Ｉ／Ｆ２０７と、各種情報を記憶する記憶媒体２０８とを備えている。また、テレビ会議端末１１０の各構成部は、バス２００によってそれぞれ接続されている。
【００３１】
ＣＰＵ２０１は、テレビ会議端末１１０全体の制御をおこなう。ＣＰＵ２０１は、ＲＡＭ２０２をワークエリアとして、ＲＯＭ２０３から読み込まれる各種プログラムを実行する。
【００３２】
映像Ｉ／Ｆ２０４は、ＣＰＵ２０１の制御にしたがって、ディスプレイ２１１に各種情報を表示させる。映像Ｉ／Ｆ２０４は、たとえば、カメラ２１２によって撮像された自拠点の映像や、他拠点のテレビ会議端末１１０から受信された映像のパケットをデコードした映像などの各拠点の参加者の映像からなる参加者画像や、テレビ会議に用いる資料画像などを会議画面としてディスプレイ２１１に表示させる。
【００３３】
資料画像は、他拠点のテレビ会議端末１１０から後述する通信Ｉ／Ｆ２０７を介して受信したり、通信Ｉ／Ｆ２０７を介して接続される情報端末であるＰＣ２５０などから取得したりする。テレビ会議端末１１０は、取得した資料画像を他拠点のテレビ会議端末１１０と送受信する資料画像として後述する記憶媒体２０８に記憶する。テレビ会議端末１１０は、記憶部２０８に記憶された資料画像を、映像Ｉ／Ｆ２０４を介してディスプレイ２１１に表示させることで、各参加者間で資料画像を共有させる。
【００３４】
ここで、図３を用いて、本発明の実施形態のディスプレイ２１１上に表示される参加者画像および資料画像からなる会議画面について説明する。図３は、本発明の実施形態の会議画面の表示の一例を示す説明図である。なお、本発明の実施形態では、説明のためディスプレイ２１１上に表示される会議画面について、資料画像と、参加者画像とが表示される例とするが、これに限ることはない。すなわち、テレビ会議に関する処理画面などもディスプレイ２１１に表示させることとしてもよい。
【００３５】
図３において、各拠点のディスプレイ２１１には、テレビ会議で用いられている会議画面３００が表示されている。会議画面３００は、資料画像を表示する資料表示領域３０１と、参加者画像を表示する参加者表示領域３０２とを含み構成されている。
【００３６】
資料表示領域３０１には、拠点Ａのテレビ会議端末１１０ａによって出力された資料画像３１０が表示されている。参加者表示領域３０２には、各拠点のテレビ会議端末１１０によってテレビ会議に参加している参加者画像３１１，３１２，３１３が表示されている。参加者画像３１１，３１２，３１３は、資料表示領域３０１に表示されている資料画像３１０や資料画像３１０以降に表示される他の拠点によって出力される資料画像の表示順に応じて、参加者表示領域３０２に配置されている。なお、本発明の実施形態では、資料画像の表示順は、送信元のテレビ会議端末１１０によって送信対象となる資料画像に付与される送信時刻情報によって、送信時刻の順に応じて決定される。
【００３７】
図３の例では、参加者表示領域３０２には、資料表示領域３０１に表示されている資料画像３１０の取得元である拠点Ａの参加者情報である拠点Ａの参加者画像３１１が最上段に表示されている。参加者画像３１１の下段には、資料画像３１０のつぎに表示される別の資料画像の取得元となる拠点Ｃの参加者画像３１３が表示され、拠点Ｂの参加者画像３１２は、参加者表示領域３０１の最下段に表示されている。
【００３８】
ここで、図４を用いて、本発明の実施形態のディスプレイ２１１に表示される会議画面３００の遷移について説明する。図４は、本発明の実施形態の会議画面の表示遷移の一例を示す説明図である。
【００３９】
図４において、各拠点の参加者によってテレビ会議が開始されると、テレビ会議端末１１０は、自拠点の参加者の映像をカメラ２１２によって撮像し、他拠点のテレビ会議端末１１０に送信する。各テレビ会議端末１１０は、送受信された各参加者の映像に基づいて、参加者画像３１１，３１２，３１３を参加者表示領域３０１に表示する。
【００４０】
たとえば、拠点Ａの参加者Ａがテレビ会議の招集者で、拠点Ａの参加者Ａが資料の共有を所望する場合、拠点Ａのテレビ会議端末１１０ａは、共有対象となる資料情報４０１を拠点Ｂ，Ｃのテレビ会議端末１１０ｂ，ｃに送信する。具体的には、操作部２０６の操作に基づいて、テレビ会議端末１１０ａは、ＣＰＵ２０１ａのタイマによって送信時刻情報を資料情報４０１に付与して、資料情報４０１を送信する。各拠点のテレビ会議端末１１０は、送受信された拠点Ａの資料情報４０１に基づいて、拠点Ａの資料画像３１０を資料表示領域３０２に表示する。
【００４１】
より具体的には、たとえば、各テレビ会議端末１１０は、送受信された資料情報に付与された送信時刻情報に基づいて、記憶部２０８などに記憶される出力順設定ファイル４５０を更新する。すなわち、テレビ会議端末１１０は、資料情報４０１に付与された送信時刻情報について、資料情報４０１よりも早い送信時刻が付与されている資料情報がない場合に資料画像３１０の出力順を１として表示をおこなう。テレビ会議端末１１０は、拠点Ａの資料画像３１０を表示する場合、参加者表示領域３０２の最上段に拠点Ａの参加者画像３１１を配置して表示する。
【００４２】
つづいて、テレビ会議の進行に伴って、資料画像３１０の表示中に拠点Ｃの参加者Ｃが資料の共有を所望する場合、拠点Ｃのテレビ会議端末１１０ｃは、操作部２０６ｃの操作にしたがい、共有対象となる資料情報４０２を拠点Ａ，Ｂのテレビ会議端末１１０ａ，ｂに送信する。具体的には、テレビ会議端末１１０ｃは、ＣＰＵ２０１ｃのタイマによって送信時刻情報を資料情報４０２に付与して、資料情報４０２を送信する。各拠点のテレビ会議端末１１０は、送受信された拠点Ｃの資料情報４０２に基づいて、出力順設定ファイル４５０を更新し、拠点Ｃの資料画像４２０の表示準備をおこなう。具体的には、テレビ会議端末１１０は、資料情報４０２に付与された送信時刻情報について、資料情報４０２よりも早い送信時刻が付与されている資料情報４０１による資料画像３１０が出力順が１として表示されているため、資料情報４０２について出力順を２として表示準備をおこなうこととなる。テレビ会議端末１１０は、拠点Ａの資料画像３１０のつぎに拠点Ｃの資料画像４２０を表示する場合、表示中の資料画像３１０の取得元である拠点Ａの参加者画像３１１の下に拠点Ｃの参加者画像３１３を配置して表示する。
【００４３】
拠点Ａの資料画像３１０には、資料画像の表示終了を指示する終了ボタン４１５が含まれている。拠点Ａの参加者Ａは、資料画像３１０の表示終了を指示する場合、マウスなどの操作部２０６を介して、ポインタ４１６の移動操作をおこなって、終了ボタン４１５を押下する。
【００４４】
テレビ会議端末１１０ａは、参加者Ａから資料画像３１０の表示終了が指示された場合、終了指示情報４０３を拠点Ｂ，Ｃのテレビ会議端末１１０ｂ，ｃに送信する。各拠点のテレビ会議端末１１０は、送受信された資料画像３１０の終了指示情報４０３に基づいて、拠点Ａの資料画像３１０の表示を終了する。
【００４５】
資料画像３１０の表示が終了されると各拠点のテレビ会議端末１１０は、つぎに拠点Ｃの資料画像４２０を表示する。具体的には、テレビ会議端末１１０は、資料情報４０２よりも早い送信時刻が付与されている資料情報４０１による資料画像３１０の表示が終了したため、出力順設定ファイル４５０を更新して、出力順が２として表示準備のされていた資料情報４０２に基づく資料画像４２０の出力順を１として表示をおこなう。各拠点のテレビ会議端末１１０は、表示対象の資料画像４２０および表示が終了した資料画像３１０に基づいて、参加者表示領域３０２の最上段に拠点Ｃの参加者画像３１３、最下段に拠点Ａの参加者画像Ａを配置して表示する。
【００４６】
図２に戻って、映像Ｉ／Ｆ２０４は、ＣＰＵ２０１の制御にしたがって、カメラ２１３によって自拠点の参加者の映像を撮像する。映像Ｉ／Ｆ２０４は、ＣＰＵ２０１の制御にしたがって、カメラ２１３によって撮像された参加者の映像を記憶媒体２０８に出力する。
【００４７】
音声Ｉ／Ｆ２０５は、ＣＰＵ２０１の制御にしたがって、スピーカ２１３に各種音声を出力させる。音声Ｉ／Ｆ２０５は、たとえば、マイク２１４によって集音された自拠点の音声や、他拠点のテレビ会議端末１１０から受信された音声のパケットをデコードした音声や、他拠点とのテレビ会議に関する案内音声などをスピーカ２１３に出力させる。
【００４８】
音声Ｉ／Ｆ２０５は、ＣＰＵ２０１の制御にしたがって、マイク２１４によって自拠点の参加者の音声を集音する。音声Ｉ／Ｆ２０５は、ＣＰＵ２０１の制御にしたがって、マイク２１４によって集音された参加者の音声を記憶媒体２０８に出力する。
【００４９】
操作部２０６は、参加者などから各種情報の入力を受け付ける。操作部２０６は、マウスやタッチパネルや操作ボタンなどによって構成され、テレビ会議に関する情報の入力を受け付けて、入力された信号をＣＰＵ２０１へ出力する。
【００５０】
通信Ｉ／Ｆ２０７は、通信回線を通じてＬＡＮやインターネットなどのネットワークＮＷに接続され、このネットワークＮＷを介して他のテレビ会議端末１１０やその他外部機器に接続される。通信Ｉ／Ｆ２０７は、ネットワークＮＷとテレビ会議端末１１０内部のインターフェースをつかさどり、外部機器に対するデータの入出力を制御する。通信Ｉ／Ｆ２０７には、たとえば、モデムやＬＡＮアダプタなどを採用することができる。
【００５１】
通信Ｉ／Ｆ２０７は、ＣＰＵ２０１の制御にしたがって、記憶媒体２０８に記憶された自拠点の映像および音声を、他拠点のテレビ会議端末１１０へネットワークＮＷを介して送信する。通信Ｉ／Ｆ２０７は、ＣＰＵ２０１の制御にしたがって、映像および音声をパケットとして所定のタイミングでネットワークＮＷを介して送信する。
【００５２】
記憶媒体２０８は、ＨＤ（ハードディスク）や着脱可能な記録媒体の一例としてのＦＤ（フレキシブルディスク）などである。記憶媒体２０８は、それぞれのドライブデバイスを有し、たとえば、ＣＰＵ２０１の制御にしたがって送受信対象の映像や音声、共有対象の資料情報などの各種データが記録される。また、記憶媒体２０８からは、それぞれのドライブデバイスの制御にしたがってデータが読み取られる。
【００５３】
なお、各構成要素と、各機能を対応付けて説明すると、図２に示したＣＰＵ２０１、映像Ｉ／Ｆ２０４、音声Ｉ／Ｆ２０５および通信Ｉ／Ｆ２０７によって、本発明の参加者情報取得手段、資料情報取得手段の機能を実現する。また、ＣＰＵ２０１および映像Ｉ／Ｆ２０４によって、本発明の表示制御手段の機能を実現する。
【００５４】
（テレビ会議端末１１０の処理の内容）
図５を用いて、本発明の実施形態のテレビ会議端末１１０の処理の内容について説明する。図５は、本発明の実施形態のテレビ会議端末の処理の内容を示すフローチャートであり、拠点Ａ，Ｂ，Ｃに設置されたテレビ会議端末１１０ａ，１１０ｂ，１１０ｃは、同様の処理をおこなう。
【００５５】
図５のフローチャートにおいて、まず、ＣＰＵ２０１は、テレビ会議が開始されたか否かを判断する（ステップＳ５０１）。テレビ会議の開始は、たとえば、参加者による操作部２０６の操作に基づいて、通信Ｉ／Ｆ２０７を介して他のテレビ会議端末１１０に対して接続要求をおこなうことによって判断される。また、通信Ｉ／Ｆ２０７を介して他のテレビ会議端末１１０から応答を受信することによって判断される。具体的には、たとえば、拠点Ａのテレビ会議端末１１０ａから、拠点Ｂ，Ｃのテレビ会議端末１１０ｂ，１１０ｃに対して接続要求をおこなうことで開始される。
【００５６】
ステップＳ５０１において、テレビ会議が開始されるのを待って、開始された場合（ステップＳ５０１：Ｙｅｓ）は、ＣＰＵ２０１は、テレビ会議に参加している各拠点の参加者の映像を取得する（ステップＳ５０２）。参加者の映像は、自拠点のカメラ２１２によって撮像された映像や、通信Ｉ／Ｆ２０７を介して受信された他拠点の参加者の映像である。
【００５７】
ＣＰＵ２０１は、映像Ｉ／Ｆ２０４を制御して、ステップＳ５０２において取得された映像に基づいて、ディスプレイ２１１に参加者画像を表示する（ステップＳ５０３）。
【００５８】
ＣＰＵ２０１は、テレビ会議において共有対象となる資料情報を取得したか否かを判断する（ステップＳ５０４）。資料情報は、たとえば、接続されたＰＣ２５０や外部記憶媒体などから取得したり、通信Ｉ／Ｆ２０７を介して他拠点のテレビ会議端末１１０から受信したりする。ステップＳ５０４において、資料情報を取得しない場合（ステップＳ５０４：Ｎｏ）は、ステップＳ５１０へ移行する。
【００５９】
ステップＳ５０４において、資料情報を取得した場合（ステップＳ５０４：Ｙｅｓ）は、ＣＰＵ２０１は、取得された資料情報に自拠点の資料情報がある場合に自拠点の資料情報を送信するか否かを判断する（ステップＳ５０５）。具体的には、ＣＰＵ２０１は、自拠点の参加者から操作部２０６の操作によって資料情報の送信の指示入力があった場合に、自拠点の資料情報を送信すると判断する。
【００６０】
ステップＳ５０５において、自拠点の資料情報を送信する場合（ステップＳ５０５：Ｙｅｓ）は、ＣＰＵ２０１は、送信対象の資料情報に送信時刻を示す送信時刻情報を付与して、他拠点のテレビ会議端末１１０へ、送信対象の資料情報を送信する（ステップＳ５０６）。ステップＳ５０６において送信された資料情報は、他拠点のテレビ会議端末１１０におけるステップＳ５０４によって、他拠点で取得されることとなる。
【００６１】
ＣＰＵ２０１は、ステップＳ５０４において取得された資料情報に基づいて、ディスプレイ２１１に表示させる資料画像の表示順を決定する（ステップＳ５０７）。資料画像の表示順は、たとえば、ステップＳ５０４によって取得される資料情報に付与された送信時刻情報における送信時刻の順によって決定する。
【００６２】
ＣＰＵ２０１は、映像Ｉ／Ｆ２０４を制御して、ステップＳ５０５において決定された資料画像の表示順に基づいて、参加者画像の配置を決定する（ステップＳ５０８）。
【００６３】
ＣＰＵ２０１は、映像Ｉ／Ｆ２０４を制御して、ステップＳ５０７において決定された資料画像の表示順およびステップＳ５０８において決定された参加者画像の配置に基づいて、ディスプレイ２１１に参加者画像と資料画像を表示する（ステップＳ５０９）。具体的には、たとえば、図３に示した会議画面３００における資料表示領域３０１に、ステップＳ５０７において決定された表示順が最初である資料画像を表示し、参加者表示領域３０２に、ステップＳ５０８において決定された配置に応じた参加者画像を表示する。
【００６４】
ＣＰＵ２０１は、現在の資料画像の表示継続か否かを判断する（ステップＳ５１０）。具体的には、たとえば、資料画像の表示継続は、表示中の資料画像がある場合、表示中の資料画像の取得元となったテレビ会議端末１１０による参加者によって、操作部２０６などを操作して終了が指示されない場合に表示継続と判断する。すなわち、資料画像の取得元のテレビ会議端末１１０は、参加者によって表示終了の指示が操作入力されると、終了指示情報を他のテレビ会議端末１１０に送信する。テレビ会議端末１１０は、送受信される終了指示情報に応じて、現在の資料画像の表示を継続するか否かを判断する。
【００６５】
ステップＳ５１０において、現在の資料画像の表示を継続する場合（ステップＳ５１０：Ｙｅｓ）、ＣＰＵ２０１は、ステップＳ５０４へ戻って処理を繰り返す。すなわち、資料画像の表示を継続している間も、あらたに資料情報を取得するか否かの判断をおこなって、取得した場合、資料情報の送信時刻に応じて参加者画像と資料画像の表示をおこなう。
【００６６】
ステップＳ５１０において、現在の資料画像の表示を継続しない場合（ステップＳ５１０：Ｎｏ）、ＣＰＵ２０１は、資料画像として表示すべきつぎの資料情報があるか否かを判断する（ステップＳ５１１）。
【００６７】
ステップＳ５１１において、つぎの資料情報があった場合（ステップＳ５１１：Ｙｅｓ）は、ステップＳ５０７へ戻って処理を繰り返す。ステップＳ５１１において、つぎの資料情報がない場合（ステップＳ５１１：Ｎｏ）は、ＣＰＵ２０１は、テレビ会議が終了されたか否かを判断する（ステップＳ５１２）。テレビ会議の終了は、たとえば、参加者による操作部２０６の操作による指示や、通信Ｉ／Ｆ２０７を介して受信される他のテレビ会議端末１１０からの指示などに基づいておこなわれる。
【００６８】
ステップＳ５１２において、テレビ会議が終了されない場合（ステップＳ５１２：Ｎｏ）は、ステップＳ５０３へ戻って処理を繰り返す。ステップＳ５１２において、テレビ会議が終了された場合（ステップＳ５１２：Ｙｅｓ）は、そのまま一連の処理を終了する。
【００６９】
なお、本発明の各構成要素における処理と、本発明の実施形態の各処理または各機能とを関連付けて説明すると、ステップＳ５０２におけるＣＰＵ２０１、映像Ｉ／Ｆ２０４および通信Ｉ／Ｆ２０７の処理によって、本発明の参加者情報取得手段の処理が実行される。ステップＳ５０４におけるＣＰＵ２０１および通信Ｉ／Ｆ２０７の処理によって、本発明の資料情報取得手段の処理が実行される。ステップＳ５０７、ステップＳ５０８およびステップＳ５０９におけるＣＰＵ２０１および映像Ｉ／Ｆ２０４の処理によって、本発明の表示制御手段の処理が実行される。
【００７０】
以上説明したように、本発明の実施形態によれば、資料表示領域に表示される資料画像の表示順に応じて、参加者表示領域に表示される参加者画像の配置が決定される。したがって、各参加者は、テレビ会議中にディスプレイに表示されている資料画像がどの拠点から出力された資料であるかを容易かつ的確に判断することができる。換言すれば、どの拠点の資料画像が表示されているか判断することができるため、進行中のテレビ会議について注目すべき拠点などを判断でき、円滑な会議をおこなうことができる。さらに、各参加者は、表示中の資料画像以降には、どの拠点の資料画像がどういった順序で表示されるのか認識することができる。したがって、今後の会議の進行を容易に把握することができる。
【００７１】
（その他一部の変形例）
本発明の実施形態では特に、共有対象となる資料情報として文書や画像である資料画像を用いることとして説明したが、これに限ることはない。具体的には、資料情報として音声を用いることとしてもよい。すなわち、再生中の音声と、今後再生する予定の音声との順序に基づいて参加者画像の配置を変更することとしてもよい。このようにすることで、資料情報として再生される音声がどの拠点の音声か、今後の会議に資料情報として再生される予定の音声はどの拠点の音声かを容易に把握することができるため、円滑な会議の進行を図ることができる。
【００７２】
また、本発明の実施形態では特に、資料画像の表示順に基づいて、参加者画像の配置を変更する構成としたが、これに限ることはない。具体的には、ＣＰＵ２０１は、資料画像の表示順に基づいて、参加者画像の表示態様として、表示順に応じて背景色を変更したり、点滅の有無や間隔などの表示形式を変更したり、サイズの大小などを変更したりすることとしてもよい。このようにすれば、参加者は、資料画像の表示順を容易かつ的確に把握することができる。
【００７３】
また、本発明の実施形態では特に、図４に示したように拠点Ａの資料画像３１０を表示し、以降の表示対象の資料画像がない段階では、拠点Ａの参加者画像３１１の下に拠点Ｂの参加者画像３１２、拠点Ｂの参加者画像３１２の下に拠点Ｃの参加者画像３１３を配置する構成としたがこれに限ることはない。
【００７４】
具体的には、参加者表示領域３０１に表示する参加者画像３１１，３１２，３１３のうち、表示中の資料画像３１０の取得元以外の配置は限定することなく、初期位置に基づいて配置することとしてもよい。このようにすれば、表示予定のある資料画像の取得元以外は配置変更などの処理をおこなわなくてもよいため、機器への負荷の低減を図ることができる。参加者画像３１１，３１２，３１３の初期位置は、たとえば、テレビ会議への参加順、参加者同士の親密度などによって決められる構成でもよい。
【００７５】
また、本発明の実施形態では特に、図４に示したように資料画像３１０を表示している段階で、以降に表示を所望する参加者Ｃからあらたな資料情報を取得する構成としたがこれに限ることはない。具体的には、拠点Ａの資料画像３１０の表示中に、拠点Ｃの参加者Ｃが資料画像４１０の表示を所望する情報をテレビ会議端末１１０へ送信する。表示中の資料画像３１０以降に表示を所望されている順序に応じて、参加者表示領域３０２に表示する参加者画像３１１，３１２，３１３の配置を変更する。
【００７６】
資料画像３１０の表示終了があった場合に、終了情報を拠点Ｃに出力すると、拠点Ｃから資料画像４１０の元となる資料情報が送信される構成となる。このようにすれば、特に、複数の資料画像を表示する場合は、表示順を待つ資料情報をすべて保持する代わりに、表示を所望しているテレビ会議端末１１０の情報だけを保持すればよいため、各テレビ会議端末１１０の処理負荷の低減を図ることができる。
【００７７】
また、本発明の実施形態では特に、ステップＳＳ５０７において、資料画像の元となる資料情報の送信時刻の順に基づいて表示順を決定する構成としたが、これに限ることはない。具体的には、資料情報を取得した取得時刻、資料情報の重要度、表示中の資料画像に対する関連度、資料情報の出力元の参加者による優先度などに応じて、資料画像の表示順を決定することとしてもよい。
【００７８】
より具体的には、資料情報を取得したテレビ会議端末１１０のタイマによって設定される取得時刻、予め設定される参加者の重要度、資料情報ごとに設定可能な重要度、表示中の資料情報に対する類似度などから算出可能な関連度などを用いる構成でもよい。このようにすれば、会議の進行に最適な出力順となった資料情報について、取得元の参加者を容易に把握することができるため、最適な会議進行を図ることができる。また、各テレビ会議端末によって表示順を決定する代わりに、一のテレビ会議端末によって決定された表示順を取得したり、不図示のサーバによって決定された表示順を取得する構成としてもよい。表示順の決定は、たとえば、表示順の決定処理に関する演算をおこなう代わりに、上述した資料情報の送信時刻などの順をそのまま適用する構成でもよい。
【００７９】
また、送信時刻の早い順に限ることなく、送信時刻の遅い順に表示順を決定することとしてもよい。すなわち、送信時刻の早い資料情報として、古い資料情報を優先的に出力する代わりに、送信時刻の遅い資料情報である新しい資料情報を優先的に出力することとすれば、最新の資料に基づいた会議の進行ができる。
【００８０】
また、本発明の実施形態では特に、ステップＳ５１０において、表示中の資料画像の表示継続終了があった場合に、つぎの資料画像があるか否かを判断して表示をおこなうとともに、資料画像の遷移にあわせて参加者画像の表示態様としての配置を変更する構成としたがこれに限ることはない。具体的には、表示中の資料画像に対して割り込みを所望する資料画像がある場合は、参加者画像を割り込みを示す表示態様とすることとしてもよい。
【００８１】
ここで、図６を用いて、資料画像の割り込みがある場合について、本発明の変形例のディスプレイ２１１上に表示される参加者画像および資料画像からなる会議画面について説明する。図６は、本発明の変形例の会議画面の表示の一例を示す説明図である。
【００８２】
図６において、各拠点のディスプレイ２１１には、テレビ会議で用いられている会議画面６００が表示されている。会議画面６００は、資料画像を表示する資料表示領域６０１と、参加者画像を表示する参加者表示領域６０２とを含み構成されている。
【００８３】
資料表示領域６０１には、拠点Ａのテレビ会議端末１１０ａによって出力された資料画像６１０が表示されている。参加者表示領域６０２には、各拠点のテレビ会議端末１１０によってテレビ会議に参加している参加者画像６１１，６１２，６１３が表示されている。参加者画像６１１，６１２，６１３は、資料表示領域６０１に表示されている資料画像６１０や資料画像６１０以降に表示される他の拠点によって出力される資料画像の表示順に応じて、参加者表示領域６０２に配置されている。
【００８４】
図６の例では、参加者表示領域６０２には、資料表示領域６０１に表示されている資料画像６１０の取得元である拠点Ａの参加者情報である拠点Ａの参加者画像６１１が最上段に表示されている。参加者画像６１１と同段には、資料画像６１０に割り込んで表示が所望されている別の資料画像の取得元となる拠点Ｃの参加者画像６１３が表示されている。
【００８５】
具体的には、資料画像６００の表示中に、参加者Ｃから資料画像の割り込み要求を受け付けると、拠点Ｃのテレビ会議端末１１０ｃは、割込情報として、割り込み要求のあった旨または割り込み要求と対応付けられた資料情報を拠点Ａ，Ｃのテレビ会議端末１１０ａ，ｃに送信する。
【００８６】
各テレビ会議端末１１０は、送受信された割込情報に基づいて、表示中の資料画像６１０の取得元である拠点Ａの参加者画像６１１の横に拠点Ｃの参加者画像６１３を配置して表示する。なお、特に図示はしないが、割込情報に基づいて、図４に示した出力順設定ファイル４５０に割込フラグなどを対応付ける構成としてもよい。
【００８７】
より具体的には、たとえば、資料情報の取得元となるテレビ会議端末１１０は、図５に示したステップＳ５０５における自拠点の資料情報の送信の際に、割り込み要求があった場合、ステップＳ５０６において送信する資料情報に割り込み情報を対応付ける。他のテレビ会議端末１１０は、ステップＳ５０４において取得された資料情報に割込情報が対応付けられていた場合、ステップＳ５０７およびステップＳ５０８において、割込情報に応じた資料画像の表示順、参加者画像の配置などを決定する。他のテレビ会議端末１１０は、ステップＳ５０９において、割込情報に基づいて決定された参加者画像と資料画像の表示をおこなうこととなる。
【００８８】
テレビ会議端末１１０は、資料画像の割り込みを許可する場合、拠点Ａの資料画像６１０の表示終了を指示することで、拠点Ａの資料画像３１０の表示を終了し、割り込みの要求があった資料画像の表示をおこなうことができる。このようにすることで、各参加者は、表示中の資料画像に対して割り込み要求があったことを容易かつ明確に把握することができる。くわえて、割り込みが必要な場合に適切に割り込みをさせることができるので、円滑なテレビ会議を進行することができる。
【００８９】
なお、割り込み要求は、資料情報の送信の際に受け付けることとして説明したが、これに限ることはない。具体的には、テレビ会議の参加者は、一旦送受信した資料情報について、割り込みを所望した時点で、別途、テレビ会議端末１１０に割込情報を送信することとしてもよい。テレビ会議端末１１０は、割込情報を受信した時点で、割込情報に対応する資料情報を特定し、資料情報の表示順、参加者画像の配置を決定することとしてもよい。このようにすれば、各参加者によって割込みが所望されたタイミングに柔軟に対応することができ、円滑なテレビ会議の進行を図ることができる。
【００９０】
なお、図６の例では、表示中の資料画像６１０の取得元の参加者画像６１１の横に割り込み対象となる資料画像の取得元の参加者画像６１３を表示することとして説明したが、これに限ることはない。図７は、本発明の変形例の会議画面の表示の別の一例を示す説明図である。
【００９１】
図７において、各拠点のディスプレイ２１１には、テレビ会議で用いられている会議画面７００が表示されている。会議画面７００は、資料画像を表示する資料表示領域７０１と、参加者画像を表示する参加者表示領域７０２とを含み構成されている。
【００９２】
図７の例では、参加者表示領域７０２には、資料表示領域７０１に表示されている資料画像７１０の取得元である拠点Ａの参加者情報である拠点Ａの参加者画像７１１が最上段に表示されている。矢印７２０で示すように参加者画像７１１に接近する形式で、資料画像６１０に割り込んで表示が所望されている別の資料画像の取得元となる拠点Ｃの参加者画像７１３が表示されている。このように表示態様を変更することで、各参加者は、割り込み要求を明確に把握することができる。
【００９３】
また、本発明の実施形態では特に、図３および図４に示したように会議画面３００として、資料表示領域３０１と、参加者表示領域３０２とを左右に並べて表示することとして説明したが、これに限ることはない。具体的には、たとえば、資料表示領域３０１と、参加者表示領域３０２とを上下に並べて表示してもよい。このようにすることで、会議画面の汎用性を向上させることができる。
【００９４】
また、本発明の実施形態では特に、図３および図４に示したように参加者表示領域３０１に参加者画像３１１，３１２，３１３をすべて表示することとして説明したが、これに限ることはない。具体的には、たとえば、会議画面として、資料画像を表示するまたは表示を所望する参加者を示す資料提出参加者表示領域と、資料画像の表示をおこなわない参加者を示す拠点参加者表示領域と、資料表示領域とを含む構成としてもよい。
【００９５】
ここで、図８を用いて、本発明の変形例のディスプレイ２１１に表示される会議画面の遷移について、資料提出参加者表示領域と、拠点参加者表示領域と、資料表示領域とを含む場合について説明する。図８は、本発明の変形例の会議画面の表示遷移の一例を示す説明図である。
【００９６】
図８において、各拠点のディスプレイ２１１には、テレビ会議で用いられている会議画面８００が表示されている。会議画面８００は、資料画像を表示する資料表示領域８０１と、資料画像を表示するまたは表示を所望する参加者を示す資料提出参加者表示領域８０２と、資料画像の表示をおこなわない参加者を示す拠点参加者表示領域８０３と、を含み構成されている。
【００９７】
各拠点の参加者によってテレビ会議が開始されると、テレビ会議端末１１０は、自拠点の参加者の映像をカメラ２１２によって撮像し、他拠点のテレビ会議端末１１０に送信する。各テレビ会議端末１１０は、送受信された各参加者の映像に基づいて、参加者画像８１１，８１２，８１３を拠点参加者表示領域８０３に表示する。
【００９８】
資料画像の表示を所望する場合、各拠点の参加者は、自身の参加者画像を資料提出参加者表示領域８０２へ移動させる操作をおこなう。図８の例では、拠点Ａの参加者Ａが資料画像を表示させており、つづいて、拠点Ｃの参加者Ｃが資料画像を表示させる場合、参加者画像８１３を矢印８１５に沿って拠点参加者表示領域８０３から資料提出参加者表示領域８０２へ移動させる。
【００９９】
資料提出参加者表示領域８０２の上段に参加者画像８１１が表示され、下段に参加者画像８１３が表示されている場合、現在、資料表示領域８０１には取得元が拠点Ａである資料画像８１０が表示され、資料画像８１０のつぎには取得元が拠点Ｃとなる資料画像が表示されることを示している。拠点参加者表示領域８０３に参加者画像８１２が表示されている場合、拠点Ｂの参加者Ｂは資料画像の表示をおこなっていないことを示す。
【０１００】
拠点Ａの資料画像８１０の表示が終了すると、拠点Ａの参加者画像８１１は、拠点参加者表示領域８０３へ移動する。資料表示領域８０１には、資料画像８１０のつぎに表示される予定であった、取得元が拠点Ｃの資料画像８２０が表示される。資料提出参加者表意領域８０２には、現在、資料表示領域８０１に表示されている資料画像８２０の取得元の参加者Ｃの参加者画像８１３が表示される。
【０１０１】
資料画像を表示している、または資料画像を表示する予定である拠点の参加者画像と、資料画像の表示をおこなわない拠点の参加者画像の表示領域を別々にすることで、各参加者は、テレビ会議に必要な資料画像を表示する拠点と表示しない拠点を明確に区別することができる。
【０１０２】
また、上述した説明では、実施形態および一部の変形例について別々の例として説明したが、これに限ることはない。すなわち、それぞれを組み合わせた構成として、実施形態および一部の変形例による手法を適宜組み合わせて利用してもよい。
【０１０３】
なお、本発明の実施形態および変形例で説明した方法は、あらかじめ用意されたプログラムをパーソナルコンピュータやワークステーションなどのコンピュータで実行することにより実現することができる。この通信プログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【符号の説明】
【０１０４】
１００  テレビ会議システム
１１０（１１０ａ，１１０ｂ，１１０ｃ）  テレビ会議端末
ＮＷ  ネットワーク
２００  バス
２０１  ＣＰＵ
２０２  ＲＡＭ
２０３  ＲＯＭ
２０４  映像Ｉ／Ｆ
２０５  音声Ｉ／Ｆ
２０６  操作部
２０７  通信Ｉ／Ｆ
２０８  記憶媒体
２１１  ディスプレイ
２１２  カメラ
２１３  スピーカ
２１４  マイク
【図１】
2012004756.tif 000003
【図２】
2012004756.tif 000004
【図３】
2012004756.tif 000005
【図４】
2012004756.tif 000006
【図５】
2012004756.tif 000007
【図６】
2012004756.tif 000008
【図７】
2012004756.tif 000009
【図８】
2012004756.tif 000010